(57)【要約】      （修正有）【課題】パネル表示領域の表示モードの内容の切換えがしやすい車両メーターを提供する。【解決手段】車両メーター構造に関し、車両のハンドルユニットに、少なくとも一つ以上のパネル表示領域を備えたパネル表示式メーターを設ける。パネル表示領域は、異なる別々の表示モードを表示することができる。また、ハンドルユニットは、ハンドルと、ハンドルに設けられた制御スイッチフレームと、制御スイッチフレームに設けられ、且つパネル表示領域を異なる別々の表示モードに切り換えることができる制御スイッチモジュールと、を備える。このようにして、パネル表示領域の表示モードの内容の切換えがしやすくなり、乗り手の走行安全性が確保できるとともに、ハンドルの制御スイッチフレームの空間を活用することができる。【選択図】図３
0003214299.tif 000002
【実用新案登録請求の範囲】
【請求項１】
車両メーターであって、
前記車両のハンドルユニットにパネル表示式メーターが設けられ、前記パネル表示式メーターは、少なくとも一つ以上のパネル表示領域を備え、前記パネル表示領域は異なる別々の情報モードが表示でき、前記ハンドルユニットは、ハンドルと、前記ハンドルに設けられた制御スイッチフレームとを備え、前記制御スイッチフレームに、制御前記パネル表示領域を異なる別々の表示情報モードに切り換えることができる制御スイッチモジュールが設けられることを特徴とする、車両メーター。
【請求項２】
前記制御スイッチモジュールは、前記パネル表示式メーターに電気的に接続され、前記制御スイッチモジュールは、モード切換えスイッチと、表示内容選択スイッチと、確認スイッチと、を備えることを特徴とする、請求項１に記載の車両メーター。
【請求項３】
前記パネル表示領域は、少なくとも一つの第一パネル表示領域及び第二パネル表示領域を備え、前記パネル表示式メーターは、第一パネル表示領域制御ユニット及び第二パネル表示領域制御ユニットを備え、前記第一パネル表示領域は、前記第一パネル表示領域制御ユニットに電気的に接続され、前記第二パネル表示領域は、前記第二パネル表示領域制御ユニットに電気的に接続され、前記制御スイッチモジュールは、モード切換えスイッチを備え、前記モード切換えスイッチは、前記第一パネル表示領域及び第二パネル表示領域が異なる別々の表示情報モードを切り換えるのを制御することを特徴とする、請求項２に記載の車両メーター。
【請求項４】
前記パネル表示式メーターは、第一パネル表示領域制御ユニット及び第二パネル表示領域制御ユニットを備え、前記パネル表示領域は、少なくとも一つの第一パネル表示領域及び第二パネル表示領域を備え、前記第一パネル表示領域は、前記第一パネル表示領域制御ユニットに電気的に接続され、第二パネル表示領域は、前記第二パネル表示領域制御ユニットに電気的に接続され、前記制御スイッチモジュールは、前記第一パネル表示領域制御ユニット及び第二パネル表示領域制御ユニットに電気的に接続され、また、前記モード切換えスイッチ及び前記第二パネル表示領域及び前記制御スイッチモジュールの表示内容選択スイッチと、前記モード切換えスイッチの間に逆流防止部品を設け、前記確認スイッチと前記モード切換えスイッチの間に逆流防止部品を設け、且つ前記確認スイッチと逆流防止部品の間にさらに抵抗部品を電気的に接続させ、このようにして、前記制御スイッチモジュールは、前記モード切換えスイッチを操作することによって、前記第一パネル表示領域または第二パネル表示領域が表示モード内容の切換えをするのを制御し、また前記表示内容選択スイッチによって、必要な表示モード内容を選択し、最後に前記確認スイッチによって選択した情報を表示させ、または選択した表示モードの内容を作動させるように制御することを特徴とする、請求項２に記載の車両メーター。
【請求項５】
前記制御スイッチモジュールの前記モード切換えスイッチは、前記パネル表示式メーターの表面に設けられ、前記モード切換えスイッチは、前記第二パネル表示領域に電気的に接続され、前記制御スイッチモジュールの表示内容選択スイッチ及び前記モード切換えスイッチの間に逆流防止部品が設け、前記確認スイッチ及び前記モード切換えスイッチの間にさらに逆流防止部品を設け、且つ前記確認スイッチ及び逆流防止部品の間に抵抗部品を電気的に接続させ、このようにして、前記制御スイッチモジュールは、前記モード切換えスイッチを操作することによって、前記第一パネル表示領域または第二パネル表示領域が表示モード内容の切換えをするのを制御し、また前記表示内容選択スイッチによって必要な表示モード内容を選択し、さらに、前記確認スイッチによって選択した情報を表示させ、または選択した表示モードの内容を作動するように制御することを特徴とする、請求項４に記載の車両メーター。
【請求項６】
前記第一パネル表示領域制御ユニット及び第二パネル表示領域制御ユニットは、ロジック回路基板であることを特徴とする、請求項４または請求項５に記載の車両メーター。
【請求項７】
前記表示内容選択スイッチは、上下切換え式スイッチであることを特徴とする、請求項４または請求項５に記載の車両メーター。
【請求項８】
前記表示内容選択スイッチは、ダブルキー式ロジックスイッチであることを特徴とする、請求項４または請求項５に記載の車両メーター。
【請求項９】
前記表示内容選択スイッチは、複数の選択式スイッチであることを特徴とする、請求項４または請求項５に記載の車両メーター。
【請求項１０】
前記パネル表示領域は、少なくとも一つの第一パネル表示領域及び第二パネル表示領域を備え、前記第一パネル表示領域または第二パネル表示領域の全部またはそのうちの一つを、前記ハンドルユニットのバックミラーに設けることを特徴とする、請求項1に記載の車両メーター。
【考案の詳細な説明】
【技術分野】
【０００１】
本考案は、車両メーター構造に関し、特にパネル表示領域の表示モード内容の切替えがしやすく、乗り手の走行安全性が確保できるとともに、ハンドルの制御スイッチフレームの空間を活用できる車両メーター構造に関する。    
【背景技術】
【０００２】
図１を参照する。車両（バイク）１は、走行安全のため、また乗り手にとって前記車両１の走行状況が分かりやすいようにするため、車両１は、前記ハンドルユニット１１にメーター１２を設け、前記メーター１２によって、車両１の速度、エンジンの回転速度、燃油量などの情報を表示することで、乗り手が前記車両１を走らせやすくするとともに、前記車両１の走行安全性を高めることができる。
【０００３】
図１を参照する。従来のメーター１２は、複数のメーター表示領域１２１を用いて車両１の走行情報を表示させるが、前記メーター１２のメーター表示領域１２１は、単一の情報を表示することしかできず、そのため前記メーター１２の表面には、その他の表示を切り替えるボタンが設けられていなかった。しかし、技術の発達に伴い、前記メーター１２は、単にメーター表示領域１２１のみを用いて前記車両１の走行情報を表示することはなくなり、電光式パネルが各種情報を表示するのによく利用されるようになり、前記メーター１２も技術の発達に伴い、前記メーター１２に多くの電光式パネルが利用されるようになった。
【０００４】
図２を参照する。電光式パネルを前記車両１の走行情報の表示パネルとして備えたメーター１２ａは、すでに多くの車両製造メーカーによって前記車両１において用いられて広く応用されている。前記表示パネルを備えたメーター１２ａは、メーター表示領域１２１以外に、さらに複数のパネル表示領域１２２を備え、前記パネル表示領域１２２は、デジタル方式またはその他の映像方式によって走行情報を表示させることができる。この外に前記パネル表示領域１２２は、前記表示パネルを備えたメーター１２ａの外の表面に設けられた切換えスイッチ１２３によって、前記パネル表示領域１２２の表示内容を切り換えることができる。さらに詳しく説明すると、前記各パネル表示領域１２２は、少なくとも二種類以上の走行情報またはその他の情報を表示させることができる。
【０００５】
前記表示パネルを備えたメーター１２ａのパネル表示領域１２２は、さらに多くの走行情報またはその他の情報を乗り手に提供することができるが、前記表示パネルを備えたメーター１２ａのパネル表示領域１２２に異なる別々の情報を表示させたい時、前記表示パネルを備えたメーター１２ａの外表面に設けられた切換えスイッチ１２３を操作することによって切り換えることが必要であり、また乗り手が前記パネル表示領域１２２に異なる別々の情報を表示させたい時、前記ハンドルユニット１１から片方の手を離して前記切換えスイッチ１２３を押す必要があるため、前記パネル表示領域１２２を切り換えて異なる別々の情報を表示させにくいうえに、走行安全性の問題があることも否定できない。
【０００６】
前記パネル表示領域を異なる別々の情報に切り換えやすいとともに、走行安全性の問題がない車両メーターを提供するため、車両業者は、上記の問題を解決しなければならない。
【考案の概要】
【考案が解决しようとする課題】
【０００７】
本考案は、従来の車両において、表示パネルを備えたメーターの操作がしにくい、という欠点を解決できる車両メーターを提供することを目的とする。
【課題を解決するための手段】
【０００８】
本考案の実用新案登録請求の範囲の内、請求項１の主要な技術手段は、以下の構造を備える車両メーターを提供する。前記車両のハンドルユニットにパネル表示式メーターが設けられ、前記パネル表示式メーターは、少なくとも一つ以上のパネル表示領域を備え、前記パネル表示領域は異なる別々の情報モードが表示できる。前記ハンドルユニットは、ハンドルと、前記ハンドルに設けられた制御スイッチフレームとを備え、前記制御スイッチフレームに、制御前記パネル表示領域を異なる別々の表示情報モードに切り換えることができる制御スイッチモジュールが設けられる。
【０００９】
本考案の実用新案登録請求の範囲の内、請求項２の主要な技術手段は、以下の構造を備える車両メーターを提供する。前記制御スイッチモジュールは、前記パネル表示式メーターに電気的に接続される。また、前記制御スイッチモジュールは、モード切換えスイッチと、表示内容選択スイッチと、確認スイッチと、を備える。
【００１０】
本考案の実用新案登録請求の範囲の内、請求項３の主要な技術手段は、以下の構造を備える車両メーターを提供する。前記パネル表示領域は、少なくとも一つの第一パネル表示領域及び第二パネル表示領域を備える。前記パネル表示式メーターは、第一パネル表示領域制御ユニット及び第二パネル表示領域制御ユニットを備え、前記第一パネル表示領域は、前記第一パネル表示領域制御ユニットに電気的に接続され、前記第二パネル表示領域は、前記第二パネル表示領域制御ユニットに電気的に接続される。前記制御スイッチモジュールは、モード切換えスイッチを備え、前記モード切換えスイッチは、前記第一パネル表示領域及び第二パネル表示領域が異なる別々の表示情報モードを切り換えるのを制御することができる。
【００１１】
本考案の実用新案登録請求の範囲の内、請求項４の主要な技術手段は、以下の構造を備える車両メーターを提供する。前記パネル表示式メーターは、第一パネル表示領域制御ユニット及び第二パネル表示領域制御ユニットを備える。前記パネル表示領域は、少なくとも一つの第一パネル表示領域及び第二パネル表示領域を備え、前記第一パネル表示領域は、前記第一パネル表示領域制御ユニットに電気的に接続され、第二パネル表示領域は、前記第二パネル表示領域制御ユニットに電気的に接続され、前記制御スイッチモジュールは、前記第一パネル表示領域制御ユニット及び第二パネル表示領域制御ユニットに電気的に接続される。また、前記モード切換えスイッチ及び前記第二パネル表示領域及び前記制御スイッチモジュールの表示内容選択スイッチと、前記モード切換えスイッチの間に逆流防止部品を設け、前記確認スイッチと前記モード切換えスイッチの間に逆流防止部品を設け、且つ前記確認スイッチと逆流防止部品の間にさらに抵抗部品を電気的に接続させる。このようにして、前記制御スイッチモジュールは、前記モード切換えスイッチを操作することによって、前記第一パネル表示領域または第二パネル表示領域が表示モード内容の切換えをするのを制御でき、また前記表示内容選択スイッチによって、必要な表示モード内容を選択し、最後に前記確認スイッチによって選択した情報を表示させ、または選択した表示モードの内容を作動させるように制御することができる。
【００１２】
本考案の実用新案登録請求の範囲の内、請求項５の主要な技術手段は、以下の構造を備える車両メーターを提供する。前記パネル表示式メーターの表面に前記制御スイッチモジュールの前記モード切換えスイッチを設け、前記モード切換えスイッチは、前記第二パネル表示領域に電気的に接続され、前記制御スイッチモジュールの表示内容選択スイッチ及び前記モード切換えスイッチの間に逆流防止部品を設け、前記確認スイッチ及び前記モード切換えスイッチの間にさらに逆流防止部品を設け、且つ前記確認スイッチ及び逆流防止部品の間に抵抗部品を電気的に接続させる。このようにして、前記制御スイッチモジュールは、前記モード切換えスイッチを操作することによって前記第一パネル表示領域または第二パネル表示領域が表示モード内容の切換えをするのを制御し、また前記表示内容選択スイッチによって必要な表示モード内容を選択し、さらに、前記確認スイッチによって選択した情報を表示させ、または選択した表示モードの内容を作動するように制御することができる。
【００１３】
本考案の実用新案登録請求の範囲の内、請求項６の主要な技術手段は、以下の構造を備える車両メーターを提供する。前記第一パネル表示領域制御ユニット及び第二パネル表示領域制御ユニットは、ロジック回路基板である。
【００１４】
本考案の実用新案登録請求の範囲の内、請求項７の主要な技術手段は、以下の構造を備える車両メーターを提供する。前記表示内容選択スイッチは上下切換え式スイッチである。
【００１５】
本考案の実用新案登録請求の範囲の内、請求項８の主要な技術手段は、以下の構造を備える車両メーターを提供する。前記表示内容選択スイッチは、ダブルキー式ロジックスイッチである。
【００１６】
本考案の実用新案登録請求の範囲の内、請求項９の主要な技術手段は、以下の構造を備える車両メーターを提供する。前記表示内容選択スイッチは、複数の選択式スイッチである。
【００１７】
本考案の実用新案登録請求の範囲の内、請求項１０の主要な技術手段は、以下の構造を備える車両メーターを提供する。前記パネル表示領域は、少なくとも一つの第一パネル表示領域及び第二パネル表示領域を備え、前記第一パネル表示領域または第二パネル表示領域の全部またはそのうちの一つは、前記ハンドルユニットのバックミラーに設けることができる。
【考案の効果】
【００１８】
本考案の実用新案登録請求の範囲の内、請求項１の主要な技術手段によって、以下のような効果が得られる。前記パネル表示式メーターは、少なくとも一つ以上のパネル表示領域を備え、前記ハンドルユニットのハンドルに制御スイッチフレームを設け、前記制御スイッチフレームに前記パネル表示領域の切換えが制御できる異なる表示情報の制御スイッチモジュールを設ける。これにより、乗り手が前記第一パネル表示領域または第二パネル表示領域を操作して表示モード内容を切り替える時、乗り手は前記ハンドルから手を放すことなく直接指で操作し表示モード内容を変えることができる。したがって、前記パネル表示領域の表示モード内容の切換えがしやすく、乗り手の走行安全性が確保できるばかりではなく、前記ハンドルの制御スイッチフレームの空間が活用できる。
【００１９】
本考案の実用新案登録請求の範囲の内、請求項２の主要な技術手段によって、前記パネル表示式メーターの操作性が確保できるという効果が得られる。
【００２０】
本考案の実用新案登録請求の範囲の内、請求項３の主要な技術手段によって、前記パネル表示式メーターの操作性が確保できるという効果が得られる。
【００２１】
本考案の実用新案登録請求の範囲の内、請求項４の主要な技術手段によって、前記パネル表示式メーターの操作性が高まるという効果が得られる。
【００２２】
本考案の実用新案登録請求の範囲の内、請求項５の主要な技術手段によって、前記パネル表示式メーターの操作性が高まるという効果が得られる。
【００２３】
本考案の実用新案登録請求の範囲の内、請求項６の主要な技術手段によって、前記パネル表示式メーターのコストを下げることができるという効果が得られる。
【００２４】
本考案の実用新案登録請求の範囲の内、請求項７の主要な技術手段によって、前記制御スイッチモジュールの操作性を高めることができるという効果が得られる。
【００２５】
本考案の実用新案登録請求の範囲の内、請求項８の主要な技術手段によって、前記制御スイッチモジュールの操作性を高めることができるという効果が得られる。
【００２６】
本考案の実用新案登録請求の範囲の内、請求項９の主要な技術手段によって、前記制御スイッチモジュールの操作性を高めることができるという効果が得られる。
【００２７】
本考案の実用新案登録請求の範囲の内、請求項１０の主要な技術手段によって、乗り手にとってさらに見やすくなるという効果が得られる。
【図面の簡単な説明】
【００２８】
【図１】従来の車両メーターの概略図である。
【図２】もう一つの従来のパネルを備えた表示メーターの概略図である。
【図３】本考案の車両メーターの概略図である。
【図４】本考案の車両メーターの正面から見た概略図である。
【図５】本考案の車両メーターの制御スイッチモジュールの実施例１である。
【図６】本考案の車両メーターの制御スイッチモジュールの実施例２である。
【図７】本考案の車両メーターの制御スイッチモジュールの実施例３である。
【図８】本考案の車両メーターの制御モードの概略図である。
【図９】本考案の車両メーターの制御モードの概略図である。
【図１０】本考案の車両メーターの別の実施例である。
【図１１】本考案の車両メーターのもう一つの実施例の制御モードの概略図である。
【図１２】本考案の車両メーターのもう一つの実施例の制御モードの概略図である。
【図１３】本考案の車両メーターのさらに別の実施例である。
【考案を実施するための形態】
【００２９】
まず、図３及び図４を参照する。本考案の車両メーター構造は、前記車両２のハンドルユニット２１に設けられたパネルを備えた表示式メーター３からなり、前記パネル表示式メーター３は、少なくとも一つ以上のパネル表示領域３１を備え、前記ハンドルユニット２１のハンドル２１１には、制御スイッチフレーム２１２が設けられ、前記制御スイッチフレーム２１２には、前記パネル表示領域３１を異なる別々の表示情報モードに切り替えるのを制御する制御スイッチモジュール３２が設けられる。
【００３０】
（実施例１）
図３及び図４及び図５を参照する。前記パネル表示式メーター３は少なくとも一つ以上のパネル表示領域３１を備える。本考案の実施例１により、複数のパネル表示領域３１を例として説明する。その内、異なる別々の情報表示モードの切換えができる少なくとも二つのパネル表示領域３１を、それぞれ第一パネル表示領域３１１及び第二パネル表示領域３１２とする。前記第一パネル表示領域３１１は、走行距離表示や、シートの開閉操作、ガソリンタンクの蓋の開閉操作、フットレストバーの開閉操作、前カゴの蓋の開閉操作、フックの開閉操作、マグネットキーの開閉操作などの制御表示モードを備える。前記第二パネル表示領域３１２は、時間、温度表示、晴雨の気象表示、留守電表示、携帯メールの表示などの表示モードを備える。前記パネル表示式メーター３は、前記ハンドル２１１に設けられた制御スイッチフレーム２１２の制御スイッチモジュール３２に電気的に接続され、前記制御スイッチモジュール３２は、モード切換えスイッチ３２１と、表示内容選択スイッチ３２２と、確認スイッチ３２３と、を備え、前記制御スイッチモジュール３２は、左または右側の前記ハンドル２１１の制御スイッチフレーム２１２に設けられる。
【００３１】
図３及び図４及び図５を参照する。前記制御スイッチモジュール３２のモード切換えスイッチ３２１は、主に前記第一パネル表示領域３１１または第二パネル表示領域３１２に表示モード内容の切換えをさせるのに用いられる。例えば前記モード切換えスイッチ３２１を押していない時、前記第一パネル表示領域３１１では表示内容の選択ができ、この時乗り手は、前記表示内容選択スイッチ３２２によって必要な制御表示モード内容を選択することができ、また前記確認スイッチ３２３によって選択した表示モードの内容を作動させる。前記モード切換えスイッチ３２１が押された時、前記第二パネル表示領域３１２は表示内容の切換えを行い、この時乗り手は、前記表示内容選択スイッチ３２２によって必要な制御表示の内容を選択することができ、また前記確認スイッチ３２３によって選択した表示モードの内容を表示させることができる。
【００３２】
図５を参照する。前記制御スイッチモジュール３２の内、前記表示内容選択スイッチ３２２は、上下切換え式スイッチ３２２１であり、これによって選択したい表示モードの内容を上下に切り換えることができる。
【００３３】
（実施例２）    
図６を参照する。前記制御スイッチモジュール３２の内、前記表示内容選択スイッチ３２２は、ダブルキー式ロジックスイッチ３２２２であり、前記ロジック選択スイッチ３２２２によって、００、０１、１０、１１というようにロジック方式で直接選択したい表示モードの内容を切り替えさせることができる。
【００３４】
（実施例３）    
図７を参照する。前記制御スイッチモジュール３２の内、前記表示内容選択スイッチ３２２は、複数の選択式スイッチ３２２３であり、前記複数の選択スイッチ３２２３によって直接選択したい表示モードの内容を切り替えさせることができる。
【００３５】
図４、図５、図６、図７、図８、図９を参照する。前記パネル表示式メーター３は、第一パネル表示領域制御ユニット４と、第二パネル表示領域制御ユニット５と、を備え、第一パネル表示領域制御ユニット４及び第二パネル表示領域制御ユニット５は、ロジック回路基板であり、前記第一パネル表示領域３１１は、前記第一パネル表示領域制御ユニット４に電気的に接続され、第二パネル表示領域３１２は、前記第二パネル表示領域制御ユニット５に電気的に接続され、前記制御スイッチモジュール３２は、第一パネル表示領域制御ユニット４及び第二パネル表示領域制御ユニット５に電気的に接続され、前記モード切換えスイッチ３２１は、前記第二パネル表示領域３１２に電気的に接続される。また、前記制御スイッチモジュール３２の内、表示内容選択スイッチ３２２及び前記モード切換えスイッチ３２１の間に逆流防止部品４１を設け、これにより前記表示内容選択スイッチ３２２を保護し、また、前記確認スイッチ３２３及び前記モード切換えスイッチ３２１の間に逆流防止部品５１を設け、さらに前記確認スイッチ３２３及び逆流防止部品５１の間に抵抗部品５２を電気的に接続させる。これによって前記確認スイッチ３２３または前記表示内容選択スイッチ３２２が壊れた時も、もう一つに影響がなく、前記確認スイッチ３２３及び前記モード切換えスイッチ３２１を保護することができる。これによって、前記制御スイッチモジュール３２は、前記モード切換えスイッチ３２１を操作することで、前記第一パネル表示領域３１１または第二パネル表示領域３１２の表示モード内容の切換えを制御することができ、また、前記表示内容選択スイッチ３２２によって必要な表示モードの内容が選択でき、さらに、前記確認スイッチ３２３によって、選択した情報を表示させまたは選択した制御表示モードの内容を作動させることができる。このようにして、乗り手が操作して、前記第一パネル表示領域３１１または第二パネル表示領域３１２に表示内容の切替えをする時、乗り手は、前記ハンドル２１１から手を放すことなく直接指で操作するだけで表示内容を変えることができる。結果として、前記パネル表示領域３１の表示モードの内容の切換えがしやすく、乗り手の走行安全性も確保することができるばかりではなく、前記ハンドル２１１の制御スイッチフレーム２１２の空間を活用することができる。
【００３６】
図１０、図１１、図１２を参照する。本考案の前記パネル表示式メーター３を実施する時、前記パネル表示式メーター３の表面に直接前記制御スイッチモジュール３２の前記モード切換えスイッチ３２１を設ける。前記パネル表示式メーター３は、第二パネル表示領域制御ユニット５を備え、前記第二パネル表示領域制御ユニット５は、ロジック回路基板であり、実務上実施例１と同一のロジック回路基板を用いることができ、これにより前記ロジック回路基板の費用を低く抑えることができる。前記第一パネル表示領域３１１または第二パネル表示領域３１２は、前記第二パネル表示領域制御ユニット５に電気的に接続され、前記制御スイッチモジュール３２も同様に前記第二パネル表示領域制御ユニット５に電気的に接続され、前記モード切換えスイッチ３２１は、前記第二パネル表示領域３１２に電気的に接続され、前記制御スイッチモジュール３２の内、表示内容選択スイッチ３２２と、確認スイッチ３２３と、前記モード切換えスイッチ３２１の間に逆流防止部品５１を設け、これによって前記表示内容選択スイッチ３２２を保護し、さらに、前記確認スイッチ３２３及び逆流防止部品５１の間に電気的に接続した抵抗部品５２を設けることによって、前記確認スイッチ３２３または前記表示内容選択スイッチ３２２が壊れた時に、もう一つに影響が及ばないようにし、前記確認スイッチ３２３及び前記モード切換えスイッチ３２１を保護することができる。また、このようにして、前記確認スイッチ３２３または前記表示内容選択スイッチ３２２を保護することができるとともに、前記制御スイッチモジュール３２によって前記モード切換えスイッチ３２１を操作することによって、前記第一パネル表示領域３１１または第二パネル表示領域３１２が表示モードの内容の切換えをするよう制御することができ、さらに、前記表示モード内容選択スイッチ３２２によって必要な表示内容が選択できるとともに、前記確認スイッチ３２３によって選択した情報を表示させ、または選択した制御表示モードの内容を作動させることができる。
【００３７】
図１３を参照する。本考案を実施する時、前記第一パネル表示領域３１１または第二パネル表示領域３１２の全部またはその内の一つを、前記車両２ハンドルユニット２１のバックミラー２１３に設けることで、乗り手がさらに見やすいようにすることができる。
【００３８】
本考案の主な効果は以下の点である。前記パネル表示式メーター３は、少なくとも一つの上記パネル表示領域３１を備え、前記ハンドルユニット２１のハンドル２１１に制御スイッチフレーム２１２を設け、前記制御スイッチフレーム２１２に前記パネル表示領域３１を異なる別々の表示情報に切り替えることができる制御スイッチモジュール３２によって、乗り手が前記第一パネル表示領域３１１または第二パネル表示領域３１２に表示モード内容の切り替え操作をする時、乗り手は、前記ハンドル２１１から手を放す必要がなく直接指で表示モードの切替え操作ができ、これにより、乗り手の走行安全性が確保できるばかりではなく、前記ハンドル２１１の制御スイッチフレーム２１２の空間が活用できる。
【００３９】
本考案の二つ目の効果は、前記制御スイッチモジュール３２を前記パネル表示式メーター３に電気的に接続させ、また、前記制御スイッチモジュール３２は、モード切換えスイッチ３２１と、表示内容選択スイッチ３２２と、確認スイッチ３２３と、を備えることにより、前記パネル表示式メーター３の操作性を確保することができることである。
【００４０】
本考案の三つ目の効果は以下の点である。前記パネル表示領域３１は、少なくとも一つの第一パネル表示領域３１１及び第二パネル表示領域３１２を備え、前記パネル表示式メーター３は、第一パネル表示領域制御ユニット４及び第二パネル表示領域制御ユニット５を備え、前記第一パネル表示領域３１１は、前記第一パネル表示領域制御ユニット４に電気的に接続され、第二パネル表示領域３１２は、前記第二パネル表示領域制御ユニット５に電気的に接続される。また、前記制御スイッチモジュールは、モード切換えスイッチを備え、前記モード切換えスイッチは、前記第一パネル表示領域及び第二パネル表示領域が異なる表示情報モードに切り換えるのを制御することができる。つまり、前記制御スイッチモジュール３２は、モード切換えスイッチ３２１を備え、前記モード切換えスイッチ３２１は、前記第一パネル表示領域３１１及び第二パネル表示領域３１２が異なる別々の表示情報モードに切り換えるのを制御することができ、これによって、前記パネル表示式メーター３の操作性を確保することができる。
【００４１】
本考案の四つ目の効果は以下の点である。前記パネル表示式メーター３は、第一パネル表示領域制御ユニット４及び第二パネル表示領域制御ユニット５を備え、前記パネル表示領域３１は、少なくとも一つの第一パネル表示領域３１１及び第二パネル表示領域３１２を備える。前記第一パネル表示領域３１１は、前記第一パネル表示領域制御ユニット４に電気的に接続されるとともに、第二パネル表示領域３１２は、前記第二パネル表示領域制御ユニット５に電気的に接続され、前記モード切換えスイッチ３２１は、前記第二パネル表示領域３１２に電気的に接続される。前記制御スイッチモジュール３２の内、表示内容選択スイッチ３２２及び前記モード切換えスイッチ３２１の間に逆流防止部品４１を設け、また、前記確認スイッチ３２３及び前記モード切換えスイッチ３２１の間に逆流防止部品５１を設け、且つ前記確認スイッチ３２３及び逆流防止部品５１の間に抵抗部品５２を電気的に接続させることによって、前記制御スイッチモジュール３２は、前記モード切換えスイッチ３２１を操作することによって、前記第一パネル表示領域３１１または第二パネル表示領域３１２が表示モードの内容の切換えをすることができるように制御できるとともに、前記表示内容選択スイッチ３２２によって、必要な表示モードの内容が選択でき、さらに、前記確認スイッチ３２３によって、選択した情報を表示させまたは選択した制御表示モードの内容を作動させることができ、このようにして前記パネル表示式メーター３の操作性を高めることができる。
【００４２】
本考案の五つ目の効果は以下の点である。前記パネル表示式メーター３の表面に前記制御スイッチモジュール３２の前記モード切換えスイッチ３２１を設け、また前記モード切換えスイッチ３２１を前記第二パネル表示領域３１２に電気的に接続させる。また、前記制御スイッチモジュール３２の内、表示内容選択スイッチ３２２と、確認スイッチ３２３と、前記モード切換えスイッチ３２１の間に逆流防止部品５１を設け、且つ前記確認スイッチ３２３及び逆流防止部品５１の間に抵抗部品５２を電気的に接続させる。さらに、前記制御スイッチモジュール３２は、前記モード切換えスイッチ３２１によって、前記第一パネル表示領域３１１または第二パネル表示領域３１２が表示モードの内容を切り換えるように制御し、さらに前記表示内容選択スイッチ３２２によって、必要な表示モードの内容の選択をし、最後に前記確認スイッチ３２３によって選択した情報を表示させまたは選択した表示モードの内容が作動するように制御することができ、このようにして、前記パネル表示式メーター３の操作性を高めることができる。
【００４３】
本考案の六つ目の効果は、前記第一パネル表示領域制御ユニット４及び第二パネル表示領域制御ユニット５は、ロジック回路基板であることによって、前記パネル表示式メーター３のコストを低くすることができることである。
【００４４】
本考案の七つ目の効果は、前記表示内容選択スイッチ３２２は、上下切換え式スイッチであることによって、前記制御スイッチモジュール３２の操作性を高めることができることである。
【００４５】
本考案の八つ目の効果は、前記表示内容選択スイッチ３２２は、ダブルキー式ロジックスイッチであることによって、前記制御スイッチモジュール３２の操作性を高めることができることである。
【００４６】
本考案の九つ目の効果は、前記表示内容選択スイッチ３２２は、複数の選択式スイッチであることによって、前記制御スイッチモジュール３２の操作性を高めることができることである。
【００４７】
本考案の十番目の効果は、前記パネル表示領域３１は、少なくとも一つの第一パネル表示領域３１１及び第二パネル表示領域３１２を備え、前記第一パネル表示領域３１１または第二パネル表示領域３１２の全部またはその内一つを、前記ハンドルユニット２１のバックミラー２１３に設けることによって、乗り手にさらに見やすくすることができることである。
【符号の説明】
【００４８】
１        車両
１１      ハンドルユニット
１２      メーター
１２ａ    表示パネルを備えたメーター
１２１    メーター表示領域
１２２    パネル表示領域
１２３    切換えスイッチ
２        車両
２１      ハンドルユニット
２１１    ハンドル
２１２    制御スイッチフレーム
２１３    バックミラー
３        パネル表示式メーター
３１      パネル表示領域
３１１    第一パネル表示領域
３１２    第二パネル表示領域
３２      制御スイッチモジュール
３２１    モード切換えスイッチ
３２２    表示内容選択スイッチ
３２２１  上下切換え式スイッチ
３２２２  ダブルキー式ロジックスイッチ
３２２３  複数の選択式スイッチ
３２３    確認スイッチ
４        第一パネル表示領域制御ユニット
４１      逆流防止部品
５        第二パネル表示領域制御ユニット
５１      逆流防止部品
５２      阻抗
【図１】
0003214299.tif 000003
【図２】
0003214299.tif 000004
【図３】
0003214299.tif 000005
【図４】
0003214299.tif 000006
【図５】
0003214299.tif 000007
【図６】
0003214299.tif 000008
【図７】
0003214299.tif 000009
【図８】
0003214299.tif 000010
【図９】
0003214299.tif 000011
【図１０】
0003214299.tif 000012
【図１１】
0003214299.tif 000013
【図１２】
0003214299.tif 000014
【図１３】
0003214299.tif 000015
【手続補正書】
【提出日】平成29年11月6日(2017.11.6)
【手続補正１】
【補正対象書類名】実用新案登録請求の範囲
【補正対象項目名】全文
【補正方法】変更
【補正の内容】
【実用新案登録請求の範囲】
【請求項１】
車両メーターであって、
前記車両のハンドルユニットにパネル表示式メーターが設けられ、
前記パネル表示式メーターは、少なくとも一つ以上のパネル表示領域を備え、
前記パネル表示領域は異なる別々の表示モードが表示でき、
前記ハンドルユニットは、ハンドルと、前記ハンドルに設けられた制御スイッチフレームとを備え、
前記制御スイッチフレームに、前記パネル表示領域を異なる別々の表示モードに切り換えることができる制御スイッチモジュールが設けられる
ことを特徴とする車両メーター。
【請求項２】
請求項１に記載の車両メーターにおいて、
前記制御スイッチモジュールは、前記パネル表示式メーターに電気的に接続され、
前記制御スイッチモジュールは、モード切換えスイッチと、表示内容選択スイッチと、確認スイッチと、を備える
ことを特徴とする車両メーター。
【請求項３】
請求項２に記載の車両メーターにおいて、
前記パネル表示領域は、少なくとも一つの第一パネル表示領域及び第二パネル表示領域を備え、
前記パネル表示式メーターは、第一パネル表示領域制御ユニット及び第二パネル表示領域制御ユニットを備え、
前記第一パネル表示領域は、前記第一パネル表示領域制御ユニットに電気的に接続され、
前記第二パネル表示領域は、前記第二パネル表示領域制御ユニットに電気的に接続され、
前記制御スイッチモジュールは、モード切換えスイッチを備え、
前記モード切換えスイッチは、前記第一パネル表示領域及び第二パネル表示領域の異なる別々の表示モードを切り換えるのを制御する
ことを特徴とする車両メーター。
【請求項４】
請求項２に記載の車両メーターにおいて、
前記パネル表示式メーターは、第一パネル表示領域制御ユニット及び第二パネル表示領域制御ユニットを備え、
前記パネル表示領域は、少なくとも一つの第一パネル表示領域及び第二パネル表示領域を備え、
前記第一パネル表示領域は、前記第一パネル表示領域制御ユニットに電気的に接続され、
第二パネル表示領域は、前記第二パネル表示領域制御ユニットに電気的に接続され、
前記制御スイッチモジュールは、前記第一パネル表示領域制御ユニット及び第二パネル表示領域制御ユニットに電気的に接続され、
また、前記モード切換えスイッチ及び前記第二パネル表示領域及び前記制御スイッチモジュールの表示内容選択スイッチと、前記モード切換えスイッチの間に逆流防止部品を設け、
前記確認スイッチと前記モード切換えスイッチの間に逆流防止部品を設け、
且つ前記確認スイッチと逆流防止部品の間にさらに抵抗部品を電気的に接続させ、
このようにして、前記制御スイッチモジュールは、前記モード切換えスイッチを操作することによって、前記第一パネル表示領域または前記第二パネル表示領域が表示モードの切換えをするのを制御し、また前記表示内容選択スイッチによって、必要な表示モードの内容を選択し、最後に前記確認スイッチによって選択した情報を表示させ、または選択した表示モードの内容を作動させるように制御する
ことを特徴とする車両メーター。
【請求項５】
請求項４に記載の車両メーターにおいて、
前記制御スイッチモジュールの前記モード切換えスイッチは、前記パネル表示式メーターの表面に設けられ、
前記モード切換えスイッチは、前記第二パネル表示領域に電気的に接続され、
前記制御スイッチモジュールの表示内容選択スイッチ及び前記モード切換えスイッチの間に逆流防止部品を設け、
前記確認スイッチ及び前記モード切換えスイッチの間にさらに逆流防止部品を設け、
且つ前記確認スイッチ及び逆流防止部品の間に抵抗部品を電気的に接続させ、
このようにして、前記制御スイッチモジュールは、前記モード切換えスイッチを操作することによって、前記第一パネル表示領域または第二パネル表示領域が表示モード内容の切換えをするのを制御し、また前記表示内容選択スイッチによって必要な表示モードの内容を選択し、さらに、前記確認スイッチによって選択した情報を表示させ、または選択した表示モードの内容を作動するように制御する
ことを特徴とする車両メーター。
【請求項６】
請求項４または請求項５に記載の車両メーターにおいて、
前記第一パネル表示領域制御ユニット及び第二パネル表示領域制御ユニットは、ロジック回路基板である
ことを特徴とする車両メーター。
【請求項７】
請求項４または請求項５に記載の車両メーターにおいて、
前記表示内容選択スイッチは、上下切換え式スイッチである
ことを特徴とする車両メーター。
【請求項８】
請求項４または請求項５に記載の車両メーターにおいて、
前記表示内容選択スイッチは、ダブルキー式ロジックスイッチである
ことを特徴とする車両メーター。
【請求項９】
請求項４または請求項５に記載の車両メーターにおいて、
前記表示内容選択スイッチは、複数の選択式スイッチである
ことを特徴とする車両メーター。
【請求項１０】
請求項１に記載の車両メーターにおいて、
前記パネル表示領域は、少なくとも一つの第一パネル表示領域及び第二パネル表示領域を備え、
前記第一パネル表示領域または第二パネル表示領域の全部またはそのうちの一つを、前記ハンドルユニットのバックミラーに設ける
ことを特徴とする車両メーター。
【手続補正２】
【補正対象書類名】明細書
【補正対象項目名】０００８
【補正方法】変更
【補正の内容】
【０００８】
本考案の実用新案登録請求の範囲の内、請求項１の主要な技術手段は、以下の構造を備える車両メーターを提供する。前記車両のハンドルユニットにパネル表示式メーターが設けられ、前記パネル表示式メーターは、少なくとも一つ以上のパネル表示領域を備え、前記パネル表示領域は異なる別々の表示モードが表示できる。前記ハンドルユニットは、ハンドルと、前記ハンドルに設けられた制御スイッチフレームとを備え、前記制御スイッチフレームに、前記パネル表示領域を異なる別々の表示モードに切り換えることができる制御スイッチモジュールが設けられる。
【手続補正３】
【補正対象書類名】明細書
【補正対象項目名】００１１
【補正方法】変更
【補正の内容】
【００１１】
本考案の実用新案登録請求の範囲の内、請求項４の主要な技術手段は、以下の構造を備える車両メーターを提供する。前記パネル表示式メーターは、第一パネル表示領域制御ユニット及び第二パネル表示領域制御ユニットを備える。前記パネル表示領域は、少なくとも一つの第一パネル表示領域及び第二パネル表示領域を備え、前記第一パネル表示領域は、前記第一パネル表示領域制御ユニットに電気的に接続され、第二パネル表示領域は、前記第二パネル表示領域制御ユニットに電気的に接続され、前記制御スイッチモジュールは、前記第一パネル表示領域制御ユニット及び第二パネル表示領域制御ユニットに電気的に接続される。また、前記モード切換えスイッチ及び前記第二パネル表示領域及び前記制御スイッチモジュールの表示内容選択スイッチと、前記モード切換えスイッチの間に逆流防止部品を設け、前記確認スイッチと前記モード切換えスイッチの間に逆流防止部品を設け、且つ前記確認スイッチと逆流防止部品の間にさらに抵抗部品を電気的に接続させる。このようにして、前記制御スイッチモジュールは、前記モード切換えスイッチを操作することによって、前記第一パネル表示領域または前記第二パネル表示領域が表示モードの切換えをするのを制御でき、また前記表示内容選択スイッチによって、必要な表示モードの内容を選択し、最後に前記確認スイッチによって選択した情報を表示させ、または選択した表示モードの内容を作動させるように制御することができる。
【手続補正４】
【補正対象書類名】明細書
【補正対象項目名】００１７
【補正方法】変更
【補正の内容】
【００１７】
本考案の実用新案登録請求の範囲の内、請求項１０の主要な技術手段は、以下の構造を備える車両メーターを提供する。前記パネル表示領域は、少なくとも一つの第一パネル表示領域及び第二パネル表示領域を備え、前記第一パネル表示領域または第二パネル表示領域の全部またはそのうちの一つを、前記ハンドルユニットのバックミラーに設けることができる。